(57)【特許請求の範囲】
【請求項１】
床面に設置される埋設型床材の下面に装着され、床面と該床材との間にグラウト材の注入スペースを形成するための金具であって、ボルト孔を有するプレート材、該プレート材のボルト孔に固着されたナット、該ボルト孔およびナットを嵌挿して床面に当接されるボルトからなり、該ボルト孔を設けた部分が下側に張り出してグラウト材が流入する空間が形成されていることを特徴とする埋設型床材用金具。
【請求項２】
プレート材の下側張出部分の側面にグラウト流入用の小孔が設けられている請求項１に記載の金具。
【請求項３】
床材に金具取付用小孔が設けられ、該小孔を設けた部分の下面に請求項１または２に記載の金具が装着されている埋設型床材。
【請求項４】
請求項３に記載の埋設型床材を床面に設置し、ボルトの螺じ込み量を調整して該床材を水平に保った後、床材と床面の間にグラウト材を注入し、埋設型床材を床面に一体化させる埋設型床材の施工方法。
【請求項５】
グラウト材の充填状態を金具取付用小孔を通じて確認しながら注入量を調整して床材を設置する請求項４に記載の施工方法。
【発明の詳細な説明】
【０００１】
【発明の属する技術分野】
本発明は、埋設型床材と床面との間にグラウト材の注入スペースを形成するための金具であって、該床材のレベル調整機能を有し、かつグラウト材の充填が確認できる埋設型床材用金具に関する。また、本発明は前記金具を装着した埋設型床材、および該床材の施工方法に関する。
【０００２】
【従来技術】
スラブの床面は防食性や機能性を高めるために多くの場合に表面処理が施される。その具体例を図４に示す。同図は埋設型床材を用いた施工例であり、基礎部となるコンクリートスラブ２０に予め固定用ネジ棒２１を埋め込み、このネジ棒２１にナット２２を用いて埋設型床材２３を設置すると共に該床材２３の両側には仕切枠２４を設けて注入スペースを形成し、該床材２３と床面との間にグラウト材２５を注入している。
【０００３】
ところが、このような従来の施工方法には以下のような問題がある。
（イ）コンクリート床面に予め固定用ネジ棒を埋設する必要があり、施工に手間がかかる。（ロ）固定用ネジ棒に合わせて埋設型床材の挿入孔を設ける必要があり、位置合わせが難しい。（ハ）埋設型床材は下面のナットによって支持されているので該床材を設置した後はレベル調整ができない。（ニ）グラウト材の注入は埋設型床材に設けた注入孔から行うが、該床材の挿入孔には固定用ネジ棒が挿入して塞がれるためグラウト材の充填状態を確認することができない。
【０００４】
【発明の解決課題】
本発明は従来の上記問題を解決するものであり、施工が容易であって、レベル調整機能を有し、グラウト材の充填状態を容易に確認できる埋設型床材用金具を提供することを目的とする。
また本発明は、上記金具を設けた埋設型床材、および該埋設型床材の施工方法を提供することを目的とする。
【０００５】
【課題の解決手段】
本発明によれば、（１）床面に設置される埋設型床材の下面に装着され、床面と該床材との間にグラウト材の注入スペースを形成するための金具であって、ボルト孔を有するプレート材、該プレート材のボルト孔に固着されたナット、該ボルト孔およびナットを嵌挿して床面に当接されるボルトからなり、該ボルト孔を設けた部分が下側に張り出してグラウト材が流入する空間が形成されていることを特徴とする埋設型床材用金具が提供される。
【０００６】
本発明の埋設型床材用金具は、（２）プレート材の下側張出部分の側面にグラウト流入用の小孔が設けられている上記（１）に記載の金具を含む。
【０００７】
また、本発明によれば、（３）床材に金具取付用小孔が設けられ、該小孔を設けた部分の下面に上記（１）または（２）に記載の金具が装着されている埋設型床材が提供される。
【０００８】
さらに本発明によれば、（４）上記(3)に記載の埋設型床材を床面に設置し、ボルトの螺じ込み量を調整して該床材を水平に保った後、床材と床面の間にグラウト材を注入し、埋設型床材を床面に一体化させる埋設型床材の施工方法、（５）グラウト材の充填状態を金具取付用小孔を通じて確認しながら注入量を調整して床材を設置する上記(4)に記載の施工方法が提供される。
【０００９】
【発明の実施形態】
以下、本発明の金具を図面に基づいて詳細に説明する。図１は本発明の金具を示す斜視図であり、図２は上記金具を装着した本発明の埋設型床材の使用状態を示す説明図であり、（ａ）は縦断面図、（ｂ）は平面図である。図３は上記金具の装着部分の拡大図である。
【００１０】
（Ｉ）金具および埋設型床材
本発明の金具１０は、埋設型床材１１の下面に装着され、床面１２と上記床材１１との間にグラウト材１３の注入スペースを形成するための金具である。該金具１０は、ボルト孔１を有するプレート材２、該プレート材２のボルト孔１に固着されたナット３、該ボルト孔１およびナット３を嵌挿して床面に当接されるボルト４からなる。
【００１１】
ボルト孔１はプレート材２の中央部５に設けられており、該中央部は下側に張り出して谷型をなし、グラウト材が流入する空間６が形成されている。この部分にナット３が上記ボルト孔１と一体の通孔を形成するように固着されている。この中央部５の形状は、図示するように、側面７が傾斜した形状に限らず、側面が湾曲した形状であってもよく、また、側面が垂直に張り出した形状でも良い。なお、側面７が傾斜した形状のものはグラウト材が流れ込み易く、グラウト材の充填確認が容易に行えるので好ましい。更に、グラウト材の流れ込みを容易にするために、上記中央部５の側面７にグラウト材流入用の小孔８を設けると良い。
【００１２】
埋設型床材１１には適宜の箇所に金具取付用の小孔９ａおよびグラウト材注入用の小孔９ｂが設けられている。上記金具１０は、その中央部が見えるように床材１１の小孔９ａの下側に取付られる。図示する例では、床材１１の側端付近の４カ所に取付用小孔９ａが設けられており、中央付近の長手方向に３カ所の注入用小孔９ｂが設けられている。
【００１３】
該金具１０の取付は、床材１１の下面に接着剤や木ネジ等で接合しても良く、或いは埋設型床材１１がモルタル等によって形成されている場合には、中央部５が下側に張出すようにモルタル中に埋設しても良い。なお上記金具１０の材質は金属に限らずプラスチックでも良い。床材１１の下面に取り付けられた金具１０にはナット３に螺合してボルト４が嵌挿される。ボルト４の下端はプレート材２を貫通して床面に当接しており、床材１１と床面１２の間にグラウト材の注入空間が形成される。
【００１４】
（ＩＩ）施工方法
金具１０を下面に取り付けた床材１１をコンクリート等の床面１２に設置し、必要に応じ、ボルト４の螺じ込み量を加減して床材１１を水平に保つ。このレベル調整の後に、注入用小孔９ｂを通じて床材１１と床面１２の間にグラウト材を注入する。注入されたグラウト材が金具１０の下側に張り出した中央部５に達すると、該中央部５の上面に形成されている空間６に金具１０の側方からグラウト材が流入するので、グラウト材の充填状態を取付用の小孔９ａを通じて確認することができる。中央部５の側面に流入用小孔８が設けられているものは、該小孔８を通じてグラウト材が上記空間５に流れ込むので確認が一層容易である。また、前記小孔８はグラウト材と金具との付着強化にも役立つ。
その後、必要に応じ、取付用小孔９ａにグラウト材を注入し、床材１１の表面を平坦に仕上げる。グラウト材は充填終了後、硬化して床材１１と床面が一体化される。
【００１５】
【発明の効果】
本発明の金具は、床面に予め埋設するものではないので、従来のような固定用ネジ棒を床面に設け、これに合わせて床材に固定用孔を穿設するなどの必要がなく、施工が極めて容易である。また、前記金具を装着した本発明の埋設型床材は、ボルトの螺じ込みによりその水平レベルを容易に調整することができるので、施工現場において傾斜した床面に対しても水平に施工することができる。また、グラウト材の充填状態を簡単に確認することができる。
【図面の簡単な説明】
【図１】本発明の金具を示す斜視図。
【図２】上記金具の使用方法を示す断面図（ａ）  および平面図（ｂ）  。
【図３】金具取付部分の拡大図。
【図４】従来の施工方法を示す床材の断面図。
【符号の説明】
１…ボルト孔、２…プレート材、３…ナット、４…ボルト、５…中央部、
６…空間、７…側面、８…小孔、９ａ…取付用小孔、９ｂ…注入用小孔
【図１】
0003613608.tif 000002
【図２】
0003613608.tif 000003
【図３】
0003613608.tif 000004
【図４】
0003613608.tif 000005